(57)【要約】      （修正有）【課題】壁面に貼着する最下層の表面にしか図柄が印刷されていなかったので、その最下層を取り換えない限りは長期に亘って同じ図柄が現れることを解消する防汚シーツを提供する。【解決手段】防汚シート１は、壁面に貼着する貼着部２と、この貼着部２の上面に剥離可能に設けられた剥離部３とを備え、貼着部２と剥離部３に図柄が印刷された印刷層Ｐが形成され、剥離部３を介して貼着部２が透過する構成とした。【選択図】図２
0003185895.tif 000002
【実用新案登録請求の範囲】
【請求項１】
壁面に貼着する貼着部と、この貼着部の上面に剥離可能に設けられた剥離部とを備えた防汚シートであって、前記貼着部と前記剥離部に図柄が印刷された印刷層が形成され、前記剥離部を介して前記貼着部が透過する構成としたことを特徴とする防汚シート。
【請求項２】
剥離部の印刷層の図柄は、貼着部の印刷層の図柄と関連したものであることを特徴とする請求項１記載の防汚シート。
【請求項３】
貼着部と剥離部は、共通して、表面側から透明な樹脂フィルム層、コロナ処理層、印刷層が順に積層され、前記貼着部は該印刷層の下層に粘着剤層、この粘着剤層の下層にセパレータが設けられ、前記剥離部は該印刷層の下層に接着剤層が設けられていることを特徴とする請求項１又は２記載の防汚シート。
【考案の詳細な説明】
【技術分野】
【０００１】
本考案は、図柄に飽きることなく長期に亘って使用することができる防汚シートに関するものである。
【背景技術】
【０００２】
従来、壁面が設けられた台所で、食器を洗ったときの水、調理時にコンロから撥ねた油、が該壁面に付着して汚れないように、該壁面に取り換え可能に貼着する防汚シートが知られている。
【０００３】
例えば特許文献１には、複数の防汚層が積層されており、最下層の防汚層が離型紙に粘着剤層を介して貼り合わされ、最下層の防汚層の上にさらに他の防汚層がそれぞれ剥離剤層及び接着剤層を介して順次貼り合わされ、各防汚層が金属薄層と合成樹脂層とを接着剤層を介して順に積層されることを特徴とした防汚シートが開示されている。
【０００４】
また、例えば特許文献２には、合成樹脂シートの片面全域に貼着剤を介して離型紙を剥離自在に接着し、合成樹脂シートは、その厚み方向に針孔状の小孔を点在させて穿設した台所等の壁面汚れ防止あるいは補修用貼着シートが開示されている。
【０００５】
さらに、最近では、壁面に貼着する最下層の表面にのみ図柄を印刷し、透明な上層から該最下層の図柄を透かして見せることで、壁面を彩るような商品も多数存在している。
【０００６】
しかしながら、従来では、壁面に貼着する最下層の表面に図柄が印刷されていた場合、その上層については透明であったため、最上層の防汚層を剥離しても図柄に何の変化も現れず、飽きてしまうといった不具合がある。
【先行技術文献】
【特許文献】
【０００７】
【特許文献１】特開２０００−３０１０９３号公報
【特許文献２】実開昭６４−１４１４５号公報
【考案の概要】
【考案が解決しようとする課題】
【０００８】
解決しようとする問題は、従来では、壁面に貼着する最下層の表面にしか図柄が印刷されていなかったので、その最下層を取り換えない限りは長期に亘って同じ図柄が現れることとなり、飽きてしまう点である。
【課題を解決するための手段】
【０００９】
上記問題を解決するために、本考案の防汚シートは、壁面に貼着する貼着部と、この貼着部の上面に剥離可能に設けられた剥離部とを備え、前記貼着部と前記剥離部に図柄が印刷された印刷層が形成され、前記剥離部を介して前記貼着部が透過する構成としたことを最も主要な特徴とする。
【考案の効果】
【００１０】
本考案は、剥離部を貼着部から剥離する前は、該貼着部の印刷層の図柄と共に剥離部の印刷層の図柄とが視認され、剥離部を貼着部から剥離した際には、貼着部における印刷層の図柄が視認され、使用が完了するまでに複数の異なる図柄が現れるので、飽きることが抑制されるという利点がある。さらに、図柄の変化により、現状の使用状況を視認できるといった利点もある。
【図面の簡単な説明】
【００１１】
【図１】本考案の防汚シートを設けた台所のコンロ周りを示す図である。
【図２】（ａ）（ｂ）は本考案の防汚シートを示す図である。
【図３】（ａ）は貼着部と剥離部を一体とした製品状態の本考案の防汚シートの、（ｂ）は剥離部の、（ｃ）は貼着部の、各々の図柄例を示す図である。
【考案を実施するための形態】
【００１２】
本考案は、剥離することで取り換え可能とされた防汚シートにおいて、剥離して取り換えても図柄が変化せず、飽きてしまうことを抑制すべく、貼着部と剥離部に図柄が印刷された印刷層を形成し、剥離部を介して貼着部が透過する構成とした。
【００１３】
また、本考案は、上記構成において、図柄について、剥離部の印刷層の図柄は、貼着部の印刷層の図柄と関連したものとすることで、剥離部と貼着部とが一体となっている状態と剥離部を剥離した状態、つまり貼着部が現れた状態への図柄遷移によって図柄に関連した経時的な視覚効果を得ることができる。
【００１４】
さらに、本考案は、上記構成において、より詳細には、貼着部と剥離部は、共通して、表面側から透明な樹脂フィルム層、コロナ処理層、印刷層が順に積層され、前記貼着部は該印刷層の下層に粘着剤層、この粘着剤層の下層にセパレータが設けられ、前記剥離部は該印刷層の下層に接着剤層が設けられた構成とすることで、防汚性に富み、かつ印刷層の劣化が抑制されると共に該印刷層における印刷を多彩な技術で行うことができ、図柄（印刷）の制限が少なく、自由度が高くなる。
【実施例】
【００１５】
以下、図１〜図３を参照して本考案の防汚シートについて説明する。本考案の防汚シート１の基本構成は次のとおりである。なお、図示においては、理解を容易にするために「厚み」に関しては誇張して描いている。防汚シート１は、図１及び図２（ａ）に示すように、壁面に貼着する貼着部２と、この貼着部２の上面に剥離可能に設けられた剥離部３とを備え、貼着部２と剥離部３とは共に図柄が印刷された印刷層Ｐが形成されている。
【００１６】
剥離部３は、印刷層Ｐを介して貼着部２が透過する構成とされており、本例では、剥離部３の印刷層Ｐの図柄と、貼着部２の印刷層Ｐの図柄とは関連した図柄としている。
【００１７】
詳細には、図２（ｂ）（図柄は省略している）に示すように、防汚シート１は、貼着部２と剥離部３は、共通して、表面側から透明な樹脂でなるフィルム層Ｆ、コロナ処理層Ｃ、印刷層Ｐが順に積層されている。また、貼着部２は該印刷層Ｐの下層に粘着剤層Ａ、この粘着剤層Ａの下層にセパレータＳが設けられている。一方、剥離部３は該印刷層Ｐの下層に接着剤層Ｂが設けられ、この接着剤層Ｂの下層に上記の貼着部２のフィルム層Ｆが位置している。
【００１８】
貼着部２における粘着剤層ＡとセパレータＳとの関係は次のとおりである。粘着剤層Ａは、貼着部２を壁面に貼着するので、やや粘着強度の強い粘着剤が用いられており、セパレータＳは粘着剤層Ａから容易に剥離できるよう離型処理が施されている。
【００１９】
一方、剥離部３における接着剤層Ｂと、下層の貼着部２のフィルム層Ｆとの関係は次のとおりである。接着剤層Ｂは、製品状態でそもそも貼着部２のフィルム層Ｆと貼着状態にあるが、後に剥離部３のみを剥離するため、貼着部２の粘着剤層Ａよりは弱い粘着強度の接着剤が用いられている。そして、貼着部２のフィルム層Ｆの表面は元々が剥離容易（離型性の強い）な表面性状なので、強固に貼り付くことなく良好に剥離することができる。
【００２０】
さらに詳細には、剥離部３における接着剤層Ｂと、貼着部２のフィルム層Ｆにおいては、貼着部２のフィルム層Ｆを例えばＰＰ（ポリプロピレン）とし、この表層を未処理とし、その一方、剥離部３における接着剤層Ｂについては剥離部３の印刷部Ｐの下層において接着剤を塗布し、乾燥後に、貼着部２のフィルム層Ｆに圧着して貼り合わせる、いわゆるドライラミネートを施している。
【００２１】
このようにドライラミネートにて剥離部３と貼着部２とを貼り合わせることで、カールを抑え、かつ、表層をフラットに仕上げることもでき、全体品質が良好なものとすることができると共に、綺麗に剥離部３を貼着部２から剥がすことができる。
【００２２】
貼着部２と剥離部３における印刷層Ｐの図柄は、貼着部２の図柄が剥離層３を介して、剥離層３の図柄と併せて視認され、剥離部３を未だ剥離していないときは、前記貼着部２と剥離部３との図柄が重なった図柄で楽しむことができ、剥離部３を剥離した際には貼着部２の個別の図柄が現れることで、取り換えるまで飽きることがないようにしている。
【００２３】
また、例えば、貼着部２と剥離部３における印刷層Ｐの図柄は、図３に示すようにすればよい。図３（Ｃ）に示すように貼着部２の印刷層Ｐにおける図柄が「葉」であるとすると、図３（ｂ）に示すように剥離部３の印刷層Ｐにおける図柄を「花」とし、図３（ａ）に示すように貼着部２と剥離部３とが重なると、剥離部３の印刷層Ｐの「花」図柄の以外には下層となる貼着部２の印刷層Ｐの「葉」図柄が見えるようにしている。
【００２４】
こうすることにより、剥離部３が存在している状態、つまり「花」が見える状態では、防汚シート１は剥離部３が存在してまだ使用可能であることが把握でき、剥離部３を剥離して貼着部２を使用しているときは「葉」が見える状態なので、防汚シート１全体を取り換える時期が近いことを知ることができる。
【００２５】
すなわち、関連した図柄とは、上記のように、「花」が咲いているから剥離部３を使用していることが把握でき、剥離部３を剥離すると「花」が枯れて「葉」だけが残っているといったような経時的変化から貼着部２を使用していることが把握できる、というように貼着部２と剥離部３の図柄の経時的な関連を持たせるという意味である。
【００２６】
また、関連した図柄とは、例えば剥離部３を使用しているときは貼着部２の図柄が見えることから、これら両者の図柄で例えば「花」の数が多く、剥離部３を剥離して貼着部２を使用しているときは、剥離部３を剥離した分だけ「花」の数が減るから、貼着部２を使用していることが把握できる、というようにその数量的な関連を持たせるという意味としてもよい。
【産業上の利用可能性】
【００２７】
上記では、台所の例えば油が飛散するコンロ、水が飛散するシンクの壁面に使用する場合を想定しているが、例えばトイレや洗面所で水が飛散するような壁面に貼着して使用しても良好である。
【符号の説明】
【００２８】
１  防汚シート
２  貼着部
３  剥離部
Ｐ  印刷層
Ｆ  フィルム層
Ｃ  コロナ処理層
Ｓ  セパレータ
Ａ  粘着剤層
Ｂ  接着剤層
【図１】
0003185895.tif 000003
【図２】
0003185895.tif 000004
【図３】
0003185895.tif 000005